(57)【特許請求の範囲】
【請求項１】
オゾン水により給水管を洗浄するオゾン洗浄方法であって、
管内通路と、この管内通路を開閉する管内通路開閉弁と、この管内通路開閉弁が閉じられた場合に区画される２つの通路のうちの一方の通路に連通する送り口と、他方の通路に連通する取込み口と、上記送り口を開閉する送り口開閉弁と、上記取込み口を流れるオゾン水の流量を調整する取込み口流量調整弁とを備えた接続管の管内通路の両端を給水管の途中に接続して、上記給水管を洗浄する場合には、オゾン水生成供給手段の水流入口を上記送り口に接続するとともにオゾン水生成供給手段のオゾン水流出口を上記取込み口に接続して、上記管内通路開閉弁で接続管の管内通路を閉じるとともに上記送り口開閉弁及び取込み口流量調整弁を開き、その後、上記送り口を介して水をオゾン水生成供給手段に送って、このオゾン水生成供給手段からのオゾン水を上記取込み口を介して下流側の給水管に流して当該給水管を洗浄し、洗浄完了後は上記送り口開閉弁及び上記取込み口流量調整弁を閉じるとともに上記管内通路開閉弁を開いて上記接続管の管内通路を通常の給水路として用いることを特徴とするオゾン洗浄方法。
【請求項２】
上記給水管を洗浄する場合に、量水器を取外さないで、当該量水器の直後に上記接続管を接続することを特徴とする請求項１に記載のオゾン洗浄方法。
【請求項３】
給水管の途中に接続された接続管と、この接続管に対して着脱自在なオゾン水生成供給手段とから成り、上記オゾン水生成供給手段からのオゾン水を上記接続管に接続された下流側の給水管に流して当該給水管を洗浄するオゾン洗浄装置であって、
上記接続管は、管内通路と、この管内通路を開閉する管内通路開閉弁と、この管内通路開閉弁が閉じられた場合に区画される２つの通路のうちの一方の通路に連通してオゾン水生成供給手段の水流入口が接続される送り口と、上記２つの管内通路のうちの他方の通路に連通してオゾン水生成供給手段のオゾン水流出口が接続される取込み口と、上記送り口を開閉する送り口開閉弁と、上記取込み口を流れるオゾン水の流量を調整する取込み口流量調整弁とを備え、上記給水管を洗浄する場合に上記管内通路の両端が給水管の途中に接続されて上記管内通路開閉弁が閉じられかつ上記送り口開閉弁及び取込み口流量調整弁が開かれた場合に上記送り口を介して水を上記オゾン水生成供給手段に送るとともに上記オゾン水生成供給手段からのオゾン水を上記取込み口を介して取込んで下流側の給水管に流し、当該給水管の洗浄完了後において上記管内通路開閉弁が開かれてかつ上記送り口開閉弁及び取込み口流量調整弁が閉じられた場合に上記管内通路が通常の給水路として用いられることを特徴とするオゾン洗浄装置。
【請求項４】
上記オゾン水生成供給手段は、オゾンガス供給手段と、上記接続管の送り口を介して送られてきた上記水と上記オゾンガス供給手段からのオゾンガスと混合してオゾン水を作るミキサーとを備えることを特徴とする請求項３に記載のオゾン洗浄装置。
【請求項５】
上記オゾン水生成供給手段は、上記オゾン水を上記接続管の下流側の給水管に圧送するための圧縮空気を供給する圧縮空気供給手段を備えることを特徴とする請求項４に記載のオゾン洗浄装置。
【請求項６】
上記オゾン水生成供給手段は、上記オゾンガス供給手段に上記圧縮空気が流れ込まないようにするための圧縮空気流入防止手段を備えることを特徴とする請求項５に記載のオゾン洗浄装置。
【請求項７】
上記オゾン水生成供給手段は、上記ミキサーで作られたオゾン水中の余分なガスを除去したオゾン水を上記取込み口に供給するための余分ガス除去手段を備えることを特徴とする請求項４ないし請求項６のいずれかに記載のオゾン洗浄装置。
【請求項８】
上記オゾン生成水供給手段は、上記オゾンガス供給手段に水が流れ込まないようにするための水流入防止手段を備えることを特徴とする請求項４ないし請求項７のいずれかに記載のオゾン洗浄装置。
【発明の詳細な説明】
【０００１】
【発明の属する技術分野】
この発明は、オゾン水を用いて給水管を洗浄するオゾン洗浄方法及び装置に関する。
【０００２】
【従来の技術】
建物における給水管内部は、長期間使用すると、さび，スライム等が発生し、そのさび等が水道水の流れを阻害するばかりか、食物の味覚を落としたり、衛生的にも害をなすものであることは、良く知られている。
【０００３】
従来、上記さび，スライム等の対策として、優れた殺菌作用や酸化作用を有するオゾンを用いて給水管内部を洗浄する方法が知られている。
【０００４】
図５は上記方法を実現する装置として特開平１１−３４２３９４号公報で開示されている従来のオゾン洗浄装置を説明するための図である。このオゾン洗浄装置は、建物の給水管内にオゾンを注入するために、給水管１０，１０Ａに接続されていた量水器１１（メーター）を一旦取り外して、この量水器１１の両端が接続されていた接続部に、量水器１１，ミキサー１２を複数のバイパス管１３を用いて接続する。即ち、量水器１１を一旦取り外した後、上記複数のバイパス管１３を用いて、上記量水器１１を付け直し、さらに、オゾンガス供給装置１４より供給されるオゾンガスと上記給水管１０より送られてくる水とを混合してオゾン水を作るミキサー１２が接続される。尚、上記オゾンガス供給装置１４はミキサー１２の前段に接続され、ミキサー１２の後段には、上記オゾン水を下流側の給水管１０Ａに圧送するための圧縮空気を供給するコンプレッサー１５が接続される。また、１６はバイパス管１３に接続された上流側の給水管１０の管路を開閉する開閉弁、１７は給水栓である。
しかして、量水器１１の両端が接続されていた接続部に、上記量水器１１Ａ，ミキサー１２等の各機器を接続した後に、開閉弁１６を開いて給水栓１７から水道水を流し、給水管１０Ａ内にオゾン水を流しながら、断続的にコンプレッサー１５を駆動し、圧縮空気を投入することで、給水管１０Ａを洗浄することができる。即ち、給水管１０Ａ内のさび，スライム等を除去できるとともに、給水管１０Ａ内を殺菌できる。
【０００５】
しかしながら、図５に示した従来のオゾン洗浄装置では、給水管１０，１０Ａに接続されていた量水器１１を一旦取り外してから、複数のバイパス管１３を用いて、量水器１１を付け直し、さらに、ミキサー１２を接続する必要がある。また、洗浄完了後にバイパス管１３を撤去するとともに量水器１１を元の状態に接続する必要があった。このため、この量水器１１の取外し及び取付け作業、バイパス管１３の接続作業及び撤去作業に多くの時間を要するという問題があった。特に、使用期間の長い給水管では、量水器１１の接続部が錆付いていたり、周辺の配管材の強度が低下している場合が多く、このため量水器１１の取外し及び取付け作業が困難であり、洗浄工事を実施する際に大きな問題があった。
【０００６】
そこで、本出願人と他の出願人による共同出願である特願２０００−２３８４３２では、量水器を取外さないで給水管を殺菌洗浄する方法が提案されている。これは、量水器を取外さないで、給水管に、接続管としての洗浄アダプターを接続し、この洗浄アダプターに、オゾンガス発生装置やコンプレッサーを接続するというものである。
これによれば、上記図５の従来技術の問題を解消できる。
【０００７】
【発明が解決しようとする課題】
しかしながら、上記特願２０００−２３８４３２では、洗浄アダプター内でオゾン水を生成するために、洗浄アダプター内に上述したようなミキサーが設置されている。この洗浄アダプターは、建物新築時に給水管に予め取付けておいたり、洗浄工事の際に新規に取付ける場合があるが、オゾン洗浄は、例えば２年〜４年に一度定期的に行なうので、この洗浄アダプターをバイパスさせるバイパス管路を設けて洗浄後の通常の給水時に洗浄アダプターをバイパスさせて給水できるようにしておいて、この洗浄アダプターを一旦取付けた後は、オゾン洗浄後においても取り外すさずに、取付けたままとしておく場合がある。このようにすれば、定期的なオゾン洗浄時にオゾンガス供給装置やコンプレッサーを洗浄アダプターに取付けるだけで良く、定期的なオゾン洗浄時の作業を容易にかつ短時間に行なえるので望ましい。しかし、この場合、各給水管毎に、高価なミキサーを内蔵した洗浄アダプターが必要となってしまい、オゾン洗浄を行なうための導入コストが高くなるという課題があった。
また、特願２０００−２３８４３２では、上述のように洗浄アダプターを取付けたままとしておく場合、洗浄後の通常の給水のために上述したようなバイパス管路を、洗浄アダプターとは別に設ける必要があるので、オゾン洗浄を行なうための導入コストが高くなり、また、バイパス管路を配管するスペースを設けなくてはいけないといった課題もあった。
【０００８】
上記に鑑み、本願発明は、定期的なオゾン洗浄時の作業を容易にかつ短時間で行なえ、かつ、オゾン洗浄を行なうための導入コストを抑えることができ、さらには、導入の際に余分なスペースを必要とせず、小さいスペースの箇所でも導入できるオゾン洗浄方法及び装置を提供することを目的とする。
【０００９】
【課題を解決するための手段】
本発明によるオゾン洗浄方法は、管内通路と、この管内通路を開閉する管内通路開閉弁と、この管内通路開閉弁が閉じられた場合に区画される２つの通路のうちの一方の通路に連通する送り口と、他方の通路に連通する取込み口と、上記送り口を開閉する送り口開閉弁と、上記取込み口を流れるオゾン水の流量を調整する取込み口流量調整弁とを備えた接続管の管内通路の両端を給水管の途中に接続して、上記給水管を洗浄する場合には、オゾン水生成供給手段の水流入口を上記送り口に接続するとともにオゾン水生成供給手段のオゾン水流出口を上記取込み口に接続して、上記管内通路開閉弁で接続管の管内通路を閉じるとともに上記送り口開閉弁及び取込み口流量調整弁を開き、その後、上記送り口を介して水をオゾン水生成供給手段に送って、このオゾン水生成供給手段からのオゾン水を上記取込み口を介して下流側の給水管に流して当該給水管を洗浄し、洗浄完了後は上記送り口開閉弁及び上記取込み口流量調整弁を閉じるとともに上記管内通路開閉弁を開いて上記接続管の管内通路を通常の給水路として用いるようにした。
また、本発明によるオゾン洗浄装置は、給水管の途中に接続された接続管と、この接続管に対して着脱自在なオゾン水生成供給手段とから成り、上記オゾン水生成供給手段からのオゾン水を上記接続管に接続された下流側の給水管に流して当該給水管を洗浄するオゾン洗浄装置であって、上記接続管は、管内通路と、この管内通路を開閉する管内通路開閉弁と、この管内通路開閉弁が閉じられた場合に区画される２つの通路のうちの一方の通路に連通してオゾン水生成供給手段の水流入口が接続される送り口と、上記２つの管内通路のうちの他方の通路に連通してオゾン水生成供給手段のオゾン水流出口が接続される取込み口と、上記送り口を開閉する送り口開閉弁と、上記取込み口を流れるオゾン水の流量を調整する取込み口流量調整弁とを備え、上記給水管を洗浄する場合に上記管内通路の両端が給水管の途中に接続されて上記管内通路開閉弁が閉じられかつ上記送り口開閉弁及び取込み口流量調整弁が開かれた場合に上記送り口を介して水を上記オゾン水生成供給手段に送るとともに上記オゾン水生成供給手段からのオゾン水を上記取込み口を介して取込んで下流側の給水管に流し、当該給水管の洗浄完了後において上記管内通路開閉弁が開かれてかつ上記送り口開閉弁及び取込み口流量調整弁が閉じられた場合に上記管内通路が通常の給水路として用いられるものとした。
【００１０】
【発明の実施の形態】
以下、図１〜図４に基づいて実施の形態を説明する。尚、図５の従来例と同一部分は同一符号を付してその説明を省略する。
【００１１】
図１は一般的なマンションの給水システムを例にして本発明の実施の形態によるオゾン洗浄装置の設置位置を説明するための概略構成図である。
図１において、２０は受水槽、３０は高架水槽、４０は揚水管、５０は揚水ポンプ、６０は共用堅管、１は共用堅管６０より分岐して設けられる本実施の形態における各給水管としての各給水専有管であり、マンションの各戸に設けられた各給水栓１７はこの各給水専有管１に接続されている。
尚、各給水専有管１における共用堅管６０に近い部位には、量水器（メーター）１１Ａが設けられている。
【００１２】
２は実施の形態によるオゾン洗浄装置であり、これは、給水専有管１における量水器１１Ａの直後に接続される接続管３と、この接続管３に対して着脱自在で、オゾン洗浄時において上記接続管３に接続されるオゾン水生成供給手段としてのオゾン水生成供給装置４とから構成される。
【００１３】
上記接続管３は、図１，図２に示すように、建物の新築時、あるいは中途導入時に、給水専有管１に接続されるものである。この接続管３は、建物の新築時には、図２に示すように、継手部材３ｚ，３ｚを介して給水専有管１に接続されるものである。また、中途導入時に接続する時は、量水器１１Ａの直後の給水専有管１の一部を切断した後に、切断した給水専有管間に、溶接等により接続されるものである。即ち、接続管３は、量水器１１Ａを取外すことなく接続されるものである。尚、接続管３は、一旦取付けた後は、取外すことはない。
【００１４】
図３に示すように、上記接続管３の量水器１１Ａ側の接続部３ａ付近には、通水流量を調整するための流量調整弁３ｂが設けられている。また、接続管３の中腹部には、接続管３による管内通路３ｃを開閉する開閉弁３ｄ（管内通路開閉手段）を備える。また、開閉弁３ｄが設けられた位置より量水器１１Ａ側の接続管３の側部３ｓには、上記流量調整弁３ｂを介して流入されて開閉弁３ｄで遮断された水を上記オゾン水生成供給装置４に送るための送り口３ｅを備える。また、上記開閉弁３ｄが設けられた位置より給水栓１７側の接続管３の側部３ｓには、上記オゾン水生成供給装置４で生成されたオゾン水を取込むための取込み口３ｆを備える。また、上記送り口３ｅには開閉弁３ｇを備え、取込み口３ｆには、下流の給水専有管１に流すオゾン水の取込み量を調整するための流量調整弁３ｈを備える。
【００１５】
図４に示すように、上記オゾン水生成供給装置４は、オゾンガスを供給するオゾンガス供給装置５と、このオゾンガス供給装置５により供給されるオゾンガスと上記接続管３の送り口３ｅを介して流入される水とを混合してオゾン水を作るミキサー６と、このミキサー６で作られたオゾン水中の余分なガスを除去するための余分ガス除去手段としての気液分離器７と、この気液分離器７で余分ガスが除去されたオゾン水を上記接続管３の取込み口３ｆを介して給水専有管１に圧送するための圧縮空気を供給する圧縮空気供給手段としてのエアコンプレッサー８とが、持ち運び可能なボックス内にまとめて配置接続されて成るものである。
【００１６】
上記オゾン水生成供給装置４の水流入口４ａは、継手部材４ｚ等により上記接続管３の送り口３ｅに接続される。また、オゾン水生成供給装置４の水流入口４ａは管４ｂを介してミキサー６の入口に接続されており、ミキサー６には管４ｃを介してオゾンガス供給装置５が接続されている。ミキサー６の出口側には管４ｄを介して気液分離器７が接続され、気液分離器７の出口は管４ｅを介してオゾン水流出口４ｆに延長している。このオゾン水流出口４ｆは、継手部材４ｚ等により上記接続管３の取込み口３ｆに接続される。また、気液分離器７の出口側の管４ｅには管４ｇを介してエアコンプレッサー８が接続されている。
【００１７】
また、管４ｃにおけるオゾンガス供給装置５側には、当該オゾンガス供給装置５に水が流れ込まないようにするための水流入防止手段としての逆止弁９ａが設けられている。これにより、オゾンガス供給装置５に水が流入するのを防止できるので、水によりオゾンガス供給装置５が壊れるような事態を回避できる。
【００１８】
また、管４ｅにおける気液分離器７の出口側には、オゾンガス供給装置５及び量水器１１Ａに上記エアコンプレッサー８からの圧縮空気が流れ込まないようにするための圧縮空気流入防止手段としての逆止弁９ｂが設けられている。これにより、オゾンガス供給装置５に圧縮空気が流入するのを防止できるので、圧縮空気がオゾンガス供給装置５に吹き込まれてオゾンガス供給装置５が壊れるような事態を回避できる。また、逆止弁９ｂにより、量水器１１Ａに圧縮空気が吹き込むこともなくなるので、量水器１１Ａが壊れるような事態も回避できる。
【００１９】
しかして、給水専有管１を洗浄する場合、建物の新築時、あるいは中途導入時に、量水器１１Ａの直後の給水専有管１に接続管３を接続した後、接続管３の送り口３ｅにオゾン水生成供給装置４の水流入口４ａを接続するとともに、接続管３の取込み口３ｆにオゾン水生成供給装置４のオゾン水流出口４ｆを接続する。そして、開閉弁３ｄを閉じて、接続管３による管内通路３ｃを閉じるとともに、送り口３ｅの開閉弁３ｇを開き、さらに、流量調整弁３ｂで水流入量を調節する。その後、オゾン水供給生成装置４を起動する。これにより、ミキサー６でオゾン水が作られ、また、気液分離器７でこのオゾン水中の余分のガスが除去される。この余分ガスが除去されたオゾン水を、コンプレッサー８を適宜駆動させて、圧縮空気と一緒に取込み口３ｆに供給し、接続管３の下流側の給水専有管１に送り出す。尚、給水専有管１に流すオゾン水の流量は上記流量調整弁３ｈで調整する。これにより、接続管３の下流側の給水専有管１内のスライム，さび等を効率的に除去でき、かつ、給水専有管１内を殺菌することができる。
尚、圧縮空気の供給は、Ａ分間供給−Ｂ分間停止の繰り返しにより、Ａ及び／又はＢの値の異なる複数の供給パターンを使用して供給するのが良い。このように複数の供給パターンを使用すれば、乱流のパターンに変化が起こり、洗浄効果が上がる。
【００２０】
また、オゾン洗浄完了後は、開閉弁３ｄを開き、開閉弁３ｇ，流量調整弁３ｈを閉じることにより、接続管３の管内通路３ｃを通常の給水路として用いることができる。
【００２１】
本実施の形態によれば、接続管３を一旦取付けた後の定期的な洗浄時には、持ち運び可能なボックス内にまとめて配置接続されたオゾン水生成供給装置４を接続管３に接続するだけで良く、オゾン洗浄時の作業が容易となり、作業時間も短くできる。
【００２２】
さらに、一旦取付けた後に取外さない接続管３として、管内でオゾン水を作らないように構成された接続管３を用いるようにしたので、洗浄アダプター内でオゾン水を作る特願２０００−２３８４３２のようにミキサー等の高価な部品を組み込んだ洗浄アダプターを用いる必要がなく、取付けたままとする接続管３のコストを安くできるので、特願２０００−２３８４３２に比べてオゾン洗浄を行なうための導入コストを安くできる。
【００２３】
また、オゾン洗浄完了後は、接続管３の管内通路３ｃを通常の給水路として用いることができ、特願２０００−２３８４３２のように洗浄アダプターとは別にバイパス管路を設ける必要がないので、特願２０００−２３８４３２に比べて、導入コストを安くできるとともに、導入の際に、バイパス管路を配管するスペース等のような余分なスペースを設ける必要もなくなる。従って、小さいスペースの箇所でも導入できるオゾン洗浄方法及びオゾン洗浄装置が得られる。
【００２４】
また、接続管３は、量水器１１Ａを取外さないで、当該量水器１１Ａの直後に接続するので、量水器１１の取外し及び取付け作業が不要となる。
【００２５】
また、オゾン水生成供給装置４はエアコンプレッサー８を備えるので、オゾン水により給水専有管１内を殺菌できるとともに、給水専有管１内のスライム，さび等を効率的に除去できるので、洗浄効果の高い洗浄が行なえる。
【００２６】
また、オゾン水生成供給装置４は気液分離器７を備えるので、有害なオゾンガスを確実に除去でき、安全な洗浄工事を行なうことができるようになる。また、後述するようにオゾン水生成供給装置４の小型化にも寄与できるようになる。
【００２７】
また、特願２０００−２３８４３２では、本実施の形態による圧縮空気流入防止手段としての逆止弁９ｂに相当する逆止弁を洗浄アダプター内に内蔵しているが、逆止弁も高価なものである。これに対して、本実施の形態では、オゾン水生成供給装置４側に逆止弁９ｂを設けるようにしているので、特願２０００−２３８４３２のような逆止弁を内蔵した洗浄アダプターを用いる場合に比べて、接続管３のコストをさらに安くでき、導入コストをさらに安くできる。
【００２８】
また、本実施の形態では、オゾンガス供給装置５に水が流れ込まないようにするための水流入防止手段としての逆止弁９ａもオゾン水生成供給装置４側に設けるようにしたので、接続管３のコストをさらに安くでき、導入コストをさらに安くできる。
【００２９】
尚、上記実施の形態では、エアコンプレッサー８や気液分離器７を備えたオゾン水生成供給装置４を説明したが、これらを備えないオゾン水生成供給装置を使用してもよい。
【００３０】
即ち、エアコンプレッサー８を備えない場合でも、水圧でオゾン水を接続管３の下流側の給水専有管１内に流すことが可能なので、オゾン水により給水専有管１内を殺菌洗浄することは可能である。ただし、この場合、給水専有管１内のスライム，錆び等を効率的に除去することが難しいので、洗浄効果の高い洗浄を行なうためには、実施の形態のように、エアコンプレッサー８を備えたオゾン水生成供給装置４を使用するのが望ましい。尚、エアコンプレッサー８のみを接続管３に別途接続するようにしてもよい。
【００３１】
また、気液分離器７を備えない場合でも、ミキサー６の後段の管経路を長くしてオゾンが十分溶解するスペースをとれればよい。ただし、この場合、オゾン水生成供給装置を接続配置するボックスが大型化するので、持ち運びが容易なようにボックスを小型化するためには、実施の形態のように気液分離器７を設けることが望ましい。
【００３２】
また、上記実施の形態では、量水器１１Ａが取付けられた給水専有管１に接続管３を接続するようにしたが、オフィスビル等においては量水器が取付けられていない場合もある。このような場合は、給水専有管１において共用堅管６０に近い位置に接続管３を接続すればよい。また、接続管３を高架水槽３０の直後の給水管としての共用堅管６０に接続するようにしてもよい。また、接続管３０をポンプ５０の直後の給水管としての揚水管４０に接続するようにしてもよい。また、一戸建ての場合は、量水器の直後の給水管に接続管３を接続すればよい。
【００３３】
また、オゾン水生成供給装置４を構成する各装置を現場に個々に運搬して図４のように接続してから、接続管３に接続するようにしてもよい。
【００３４】
【発明の効果】
本発明に係るオゾン洗浄方法及びオゾン洗浄装置によれば、管内でオゾン水を作らないように構成された接続管を用い、定期的なオゾン洗浄時に、接続管にイオン水生成供給手段を接続するだけなので、定期的なオゾン洗浄時の作業が容易となり、作業時間を短くできるとともに、取付けたままとする接続管のコストを安くできるので、オゾン洗浄を行なうための導入コストを安くできる。
また、オゾン洗浄完了後は、上記接続管の管内通路を通常の給水路として用いることができ、余分なバイパス管路などが不要となるので、導入コストをさらに安くでき、また、バイパス管路などを設置するスペースが不要となるので、小さいスペースの箇所でも導入できるオゾン洗浄方法及びオゾン洗浄装置が得られる。
また、量水器を取外さないので、量水器の取外し及び取付け作業を不要とできる。
また、オゾンガス供給手段及びミキサーを備えたイオン水生成供給手段を用いることにより、給水管の洗浄、特に、給水管内の殺菌を行なうことができる。さらに、圧縮空気供給手段を設けることにより、給水管内のさび、スライム等を効率的に除去でき、洗浄効果の高い洗浄を行なえる。さらに、圧縮空気流入防止手段を設けることにより、圧縮空気でオゾンガス供給手段が壊れるような事態を回避できるとともに、接続管のコストをさらに安くでき、導入コストをさらに安くできるようになる。
また、オゾン水生成供給手段に余分ガス除去手段を設けることにより、安全な洗浄工事を行なうことができるようになり、また、オゾン水生成供給手段を小型化することが可能となる。
また、オゾン生成水供給手段に水流入防止手段を設けることにより、水でオゾンガス供給手段が壊れるような事態を回避できるとともに、接続管のコストをさらに安くでき、導入コストをさらに安くできるようになる。
【図面の簡単な説明】
【図１】本発明の実施の形態によるオゾン洗浄装置の設置位置を説明するための給水システムの全体構成図である。
【図２】実施の形態によるオゾン洗浄装置の接続管とオゾン水生成供給装置の接続関係を示す図である。
【図３】上記接続管の断面詳細図である。
【図４】上記オゾン水生成供給装置の内部構成を示す図である。
【図５】従来のオゾン洗浄装置の構成図である。
【符号の説明】
１  給水専有管（給水管）、２  オゾン洗浄装置、３  接続管、３ｄ  開閉弁（管内通路開閉手段）、３ｅ  送り口、３ｆ  取込み口、４  オゾン水生成供給装置、５  オゾンガス供給装置、６  ミキサー、７  気液分離器、８  エアコンプレッサー、９ａ，９ｂ  逆止弁、１１Ａ  量水器。
【図１】
0003547392.tif 000002
【図２】
0003547392.tif 000003
【図３】
0003547392.tif 000004
【図４】
0003547392.tif 000005
【図５】
0003547392.tif 000006